(57)【要約】【課題】ＤＣ／ＤＣコンバータ及びＤＣ／ＡＣインバータに用いるスイッチング素子に要求される耐圧を低下させ、出力向上、効率向上、小型化、低コスト化を行うことができる電力変換装置を提供する。【解決手段】電力変換装置３は、燃料電池２の電圧を降圧する第１のＤＣ／ＤＣコンバータ１４と、燃料電池２の電圧を二次電池４の電圧に降圧するかまたは二次電池４の電圧を昇圧する第２のＤＣ／ＤＣコンバータ１５と、第１の電極が燃料電池２に接続され、第２の電極が第２のＤＣ／ＤＣコンバータ１５の高圧側に接続された逆流防止用のダイオード１２と、ダイオード１２の第２の電極に接続されＤＣ／ＡＣ変換した電力を負荷へ供給するＤＣ／ＡＣインバータ１３とを備える。燃料電池２の発電中は、コンバータ１４及びコンバータ１５及びインバータ１３により燃料電池２から取り出す電流値の合計を所定値以上とする。【選択図】　　　図１
2004063338.tif 000002
【特許請求の範囲】
【請求項１】
燃料電池及び該燃料電池より低圧の二次電池を備え、少なくとも燃料電池または二次電池の電力を変換して交流負荷に電力を供給する燃料電池用電力変換装置において、
燃料電池の電圧を二次電池の電圧に降圧する第１のＤＣ／ＤＣコンバータと、
燃料電池の電圧を二次電池の電圧に降圧するかまたは二次電池の電圧を昇圧する第２のＤＣ／ＤＣコンバータと、
第１の電極が燃料電池に接続され、第２の電極が第２のＤＣ／ＤＣコンバータの高圧側に接続され、燃料電池への電流の逆流を防止するダイオードと、
前記ダイオードの第２の電極に接続されＤＣ／ＡＣ変換した電力を交流負荷へ供給するＤＣ／ＡＣインバータと、を備え、
第１のＤＣ／ＤＣコンバータにより燃料電池から取り出す電流値を所定値以上とすることを特徴とする燃料電池用電力変換装置。
【請求項２】
前記交流負荷はモータであり、
前記ＤＣ／ＡＣインバータは、該モータの回生電力を整流した直流電圧を前記ダイオードの第２電極側に供給する整流回路を内蔵し、
第２のＤＣ／ＤＣコンバータは、前記ダイオードを介した燃料電池の電圧または前記ＤＣ／ＡＣインバータで整流された回生電圧を二次電池の電圧へ降圧することを特徴とする請求項１記載の燃料電池用電力変換装置。
【請求項３】
第１のＤＣ／ＤＣコンバータは、第２のＤＣ／ＤＣコンバータより高耐圧のスイッチング素子を用いたことを特徴とする請求項１または請求項２記載の燃料電池用電力変換装置。
【請求項４】
燃料電池の起動時に、第１のＤＣ／ＤＣコンバータを所定値以上の一定電流で動作させ、前記ＤＣ／ＡＣインバータと第２のＤＣ／ＤＣコンバータによって燃料電池に要求される電流値の合計が所定値以上になっている時には、第１のＤＣ／ＤＣコンバータの動作を停止することを特徴とする請求項３記載の燃料電池用電力変換装置。
【請求項５】
燃料電池の起動時に第１のＤＣ／ＤＣコンバータを所定値以上の一定電流で動作させ、起動後はＤＣ／ＡＣインバータと第２のＤＣ／ＤＣコンバータによって燃料電池に要求される電流が所定値以上になってない場合に、燃料電池に要求される電流が所定値になるように第１のＤＣ／ＤＣコンバータを最低限の電力で動作させることを特徴とする請求項３記載の燃料電池用電力変換装置。
【請求項６】
燃料電池の起動時に第１のＤＣ／ＤＣコンバータを所定値以上の一定電流で動作させ、起動後は第１のＤＣ／ＤＣコンバータを停止する一方、起動後に燃料電池の電流が所定値以下になりそうな場合は、第２のＤＣ／ＤＣコンバータの動作電力を制御して、所定値以上になるように制御することを特徴とする請求項３記載の燃料電池用電力変換装置。
【請求項７】
燃料電池及び該燃料電池より低圧の二次電池を備え、少なくとも燃料電池または二次電池の電力を変換して交流負荷に電力を供給する燃料電池用電力変換装置において、
燃料電池の電圧を二次電池の電圧に降圧する第１のＤＣ／ＤＣコンバータと、
燃料電池の電圧を二次電池の電圧に降圧するかまたは二次電池の電圧を昇圧する第２のＤＣ／ＤＣコンバータと、
第１の電極が燃料電池に接続され、第２の電極が第２のＤＣ／ＤＣコンバータの高圧側に接続され、燃料電池への電流の逆流を防止するダイオードと、
前記ダイオードの第２の電極に接続されＤＣ／ＡＣ変換した電力を交流負荷へ供給するＤＣ／ＡＣインバータと、を備え、
さらに第１のＤＣ／ＤＣコンバータは、第２のＤＣ／ＤＣコンバータより高耐圧のスイッチング素子を備えたことを特徴とする燃料電池用電力変換装置。
【発明の詳細な説明】
【０００１】
【発明の属する技術分野】
本発明は、燃料電池の出力電圧を所望の電圧に変換する燃料電池用電力変換装置に関する。
【０００２】
【従来の技術】
燃料電池は、水素と空気中の酸素とを電解質を介して電気化学反応させることにより、直接電気を発生させるエネルギーシステムである。このため、他の発電システムのようなエネルギー形態の変換を伴わないので、効率の高い発電を行うことができる。
【０００３】
しかしながら燃料電池は、負荷による出力電圧の変動（電圧垂下特性）が比較的大きいことが知られている。例えば、燃料として水素、酸化剤として酸素又は空気中の酸素を用いる水素酸素燃料電池においては、１セルの開回路電圧（無負荷電圧）はギブスの自由エネルギーで決まる起電力である１．２３Ｖであるのに対して、定格電流を取り出した場合の定格電圧（公称電圧）は、内部抵抗等の影響を受けて通常０．７Ｖ程度である。
【０００４】
このように燃料電池のセル当たりの定格電圧が低いため、家庭用コジェネレーション燃料電池システムや燃料電池車両では、多数のセルを直列接続した燃料電池スタックを構成して定格電圧を百Ｖ〜数百Ｖにすることにより配線抵抗によるロスを低減することが多い。
【０００５】
【発明が解決しようとする課題】
しかしながら、燃料電池スタックの定格電圧を数百Ｖとすると、２つの問題が生じる。その第１は、定格電圧と開回路電圧との差が大きいことである。第２は、燃料電池電圧から２次電池充電電圧まで電圧を降下させるＤＣ／ＤＣコンバータや、燃料電池の直流電圧を交流電圧に変換するＤＣ／ＡＣインバータのスイッチング素子の耐電圧も必然的に高まることである。
【０００６】
第１の問題に対処する従来例としては、特開２０００−３６３１２号公報が知られている。この従来技術においては、燃料電池の出力を直流変換するコンバータの出力過電流、出力過負荷、出力過電圧等の保護検出信号を発生した場合、コンバータを保護停止させると共に、燃料電池が開放電圧になることを防止するダミーヒータを投入している。しかしダミーヒータで開放電圧を抑制すると、その消費電力が無駄となり、燃料電池の総合効率を低下させる問題が生じる。
【０００７】
第２の問題に対しては、直流を交流に変換するＤＣ／ＡＣインバータや直流電圧を変換するＤＣ／ＤＣコンバータに使用する半導体素子の耐圧を上げているが、その時に電力変換装置の大型化や、電力変換効率の低下、コストの上昇という問題点があった。
【０００８】
【課題を解決するための手段】
上記課題を解決するため、本発明は、燃料電池及び該燃料電池より低圧の二次電池を備え、少なくとも燃料電池または二次電池の電力を変換して交流負荷に電力を供給する燃料電池用電力変換装置において、燃料電池の電圧を二次電池の電圧に降圧する第１のＤＣ／ＤＣコンバータと、燃料電池の電圧を二次電池の電圧に降圧するかまたは二次電池の電圧を昇圧する第２のＤＣ／ＤＣコンバータと、第１の電極が燃料電池に接続され、第２の電極が第２のＤＣ／ＤＣコンバータの高圧側に接続され、燃料電池への電流の逆流を防止するダイオードと、前記ダイオードの第２の電極に接続されＤＣ／ＡＣ変換した電力を交流負荷へ供給するＤＣ／ＡＣインバータと、を備え、第１のＤＣ／ＤＣコンバータにより燃料電池から取り出す電流値を所定値以上とすることを要旨とする。
【０００９】
【発明の効果】
本発明によれば、第１のＤＣ／ＤＣコンバータにより燃料電池から取り出す電流値を所定値（Ｉ１）以上とするので、燃料電池の出力電流はＩ１以下の電流範囲になることはなく、従って燃料電池の出力電圧が出力電流Ｉ１で決まる電圧より高くなることはなく、第１のＤＣ／ＤＣコンバータと第２のＤＣ／ＤＣコンバータとＤＣ／ＡＣインバータとに、燃料電池の低電流時の高い電圧に耐え得るだけの耐圧の高い素子を使用しなくて済むことになり、出力向上、効率向上、小型化、低コスト化が行えるという効果がある。
【００１０】
【発明の実施の形態】
〔第１実施形態〕
次に図面を参照して、本発明に係る燃料電池用電力変換装置の第１実施形態を説明する。図１は、第１実施形態の燃料電池用電力変換装置を用いた燃料電池システムの構成図であり、燃料電池車両を示している。図２は、図１で用いた燃料電池の電圧‐電流特性を示した図である。
【００１１】
図１において、燃料電池車両１は、燃料電池２と、電力変換装置３と、燃料電池２より低圧の二次電池４と、二次電池４の電圧で駆動される燃料電池補機５と、車両駆動用のモータ６と、モータ６の回転力を左右の駆動輪８に分配する作動装置７と、駆動輪８と、車両コントローラ９と、アクセルペダル１０とを備えている。
【００１２】
燃料電池補機５は、燃料電池に空気を供給するコンプレッサー、燃料電池冷却液を循環させるポンプ、車両電装品用の１２Ｖに変換するＤＣ／ＤＣコンバータ等を含む。
【００１３】
車両コントローラ９は、アクセルペダル１０の踏み込み量を検出するアクセルセンサが接続されている。そしてアクセルセンサの検出値に基づいて、燃料電池２の発電力、電力変換装置３における第１のＤＣ／ＤＣコンバータ１４，第２のＤＣ／ＤＣコンバータ１５，及びＤＣ／ＡＣインバータ１３の制御を行う。このため、車両コントローラ９は、マイクロプロセッサ、プログラムメモリ、ワークメモリ及び周辺インタフェースを備えているものとする。
【００１４】
電力変換装置３は、燃料電池２または二次電池４の電力を変換して交流負荷であるモータ６に電力を供給するものである。
【００１５】
また、電力変換装置３は、燃料電池２の正極（カソード）及び負極（アノード）を断続するリレー１１と、燃料電池２の電圧を二次電池４の電圧に降圧する第１のＤＣ／ＤＣコンバータ１４と、燃料電池２の電圧を二次電池４の電圧に降圧するかまたは二次電池４の電圧を昇圧する第２のＤＣ／ＤＣコンバータ１５と、第１の電極（図１ではアノード）が燃料電池２に接続され、第２の電極（図１ではカソード）が第２のＤＣ／ＤＣコンバータ１５の高圧側に接続され、燃料電池２への電流の逆流を防止するダイオード１２と、ダイオード１２の第２の電極（カソード）に接続されＤＣ／ＡＣ変換した電力を交流負荷であるモータ６へ供給するＤＣ／ＡＣインバータ１３と、を備えている。
【００１６】
ＤＣ／ＡＣインバータ１３は、燃料電池２が発電した直流電力を交流に変換してモータ６に供給する一方、燃料電池２の発電電力が不足する場合は、第２のＤＣ／ＤＣコンバータ１５が二次電池４の電圧を昇圧した電力も使用する。
【００１７】
また特に限定されないが、ＤＣ／ＡＣインバータ１３は、燃料電池車両１を制動する場合、モータ６の回生電力を整流する機能を備え、回生電力を整流した直流電力を第２のＤＣ／ＤＣコンバータ１５に供給する。このとき、第２のＤＣ／ＤＣコンバータ１５は、降圧動作を行って二次電池４を充電する。即ち、燃料電池車両１を制動するときには、回生電力を二次電池４に貯蔵し、次の加速時に二次電池４から第２のＤＣ／ＤＣコンバータ１５及びＤＣ／ＡＣインバータ１３を介してモータ６を駆動することにより、エネルギー効率を高めている。
【００１８】
さらに第１のＤＣ／ＤＣコンバータ１４は、第２のＤＣ／ＤＣコンバータ１５より高耐圧のスイッチング素子を備えていることに特徴がある。ＤＣ／ＤＣコンバータ１４，１５用のスイッチング素子としては、バイポーラトランジスタ、ＭＯＳ−ＦＥＴ、絶縁ゲートバイポーラトランジスタ（ＩＧＢＴ）等が使用可能である。
【００１９】
図２は、燃料電池２の出力の電流電圧特性を示す図である。燃料電池２の電流を増加させるに従って、電圧は低下する。特に電流が０からＩ１までは、電圧の降下が大きく、電流がＩ１を超えてからは電圧降下の度合いが小さくなるものの、電流が増加するに従って電圧が低下する。しかし定格電流を超えると極端に電圧が降下して燃料電池が劣化する。
【００２０】
本実施形態では、電流が０からＩ１までの電圧がＶ１より高い領域では、第１のＤＣ／ＤＣコンバータ（図２以下では、単に第１のコンバータと略す）１４を動作させ、電流がＩ１を超えて、電圧がＶ１以下になる領域では、第２のＤＣ／ＤＣコンバータ（図２以下では、単に第２のコンバータと略す）１５を動作させている。これにより、第２のＤＣ／ＤＣコンバータ１５は、Ｖ１以上の電源電圧で動作することはないので、第１のＤＣ／ＤＣコンバータ１４より耐圧の低いスイッチング素子を用いることができ、大電力の変換時の効率を高くして燃料電池車両１の燃費を改善することができる。
【００２１】
第１実施形態の動作概要は以下の通りである。まず、第１のＤＣ／ＤＣコンバータ１４を常にＩ１以上の一定値（Ｃ）で作動させる。そしてモータのＤＣ／ＡＣインバータ１３を作動（電力Ａ）させ、燃料電池の発電電力（Ｂ）に対して、Ａ＋Ｃに過不足が生じた場合（Ｂ＝Ａ＋Ｃでないとき）にのみ第２のＤＣ／ＤＣコンバータ１５を作動させ、電力に過不足が生じないように制御する。第１のＤＣ／ＤＣコンバータは常にＩ１以上で動作させかつ、図１の構成によりダイオード１２を電流が逆に流れることはないので、燃料電池２の電流がＩ１以下になることはない。したがって第２のＤＣ／ＤＣコンバータ１５には（第１のＤＣ／ＤＣコンバータ１４にも）Ｖ１以上の電圧が掛かることはなく、第２のＤＣ／ＤＣコンバータ１５の素子は安価で効率のよい耐電圧の低いものとすることができる。
【００２２】
ところで、この制御では、電流を常にＩ１以上にするのであるから、第１のＤＣ／ＤＣコンバータ１４にも耐電圧の高い高圧用の素子は必要ないと思われるかもしれないが、実際にはスイッチング素子の切換時（ステップ的に電流をＩ１に立ち上げるので、この時サージ電圧が掛かる）や何らかの原因で電流がＩ１以下になることがあるため、それらに対応した高圧用の素子が第１のＤＣ／ＤＣコンバータに備えられていると第１のＤＣ／ＤＣコンバータの耐久性を高めることができる。
【００２３】
ここで、コンバータは作動させなければ電圧が掛からない仕組みになっているので、電流範囲がＩ１以下でコンバータを作動させる必要がある場合には、第１のＤＣ／ＤＣコンバータ１４のみを作動させ、第２のＤＣ／ＤＣコンバータ１５を作動させなければ、第２のＤＣ／ＤＣコンバータ１５にはＶ１以上の高電圧が掛かることはない（ＤＣ／ＡＣインバータ１３には大きなコンデンサが付いているため、大きな電圧が印加されても瞬時に電圧が上がることはない）。
【００２４】
これにより、第１のＤＣ／ＤＣコンバータ１４と第２のＤＣ／ＤＣコンバータ１５のうち、耐電圧の高い素子を備えるのは少なくとも第１のＤＣ／ＤＣコンバータ１４だけとすればよい。
【００２５】
また、サージ電圧等、想定される電圧が燃料電池の低電流時の高電圧よりも小さければ、耐電圧の高い素子を備えたとしても、従来のものより耐電圧の低いものを使用することができる。また、第１のＤＣ／ＤＣコンバータ１４は電流範囲がＩ１より少し大きい程度でよいので、第２のＤＣ／ＤＣコンバータ１５に比べ容量の小さいもので済む。
【００２６】
このため従来のようにコンバータ及びインバータを耐電圧の高い仕様にしたものに比べて、電力容量、即ち電流の小さい第１のＤＣ／ＤＣコンバータだけを耐電圧の高い素子を用い、第２のＤＣ／ＤＣコンバータは、大電流でも耐圧の低い素子で済むことになり、大電流の高耐圧素子が不要となるという効果がある。
【００２７】
次に、図３のフローチャートを参照して、本実施形態の動作を説明する。以下の説明では、図１の各部の電力を以下に説明するＡ〜Ｆの記号で示す。
【００２８】
【数１】
Ａ＝ＤＣ／ＡＣインバータ１３の要求電力
Ｂ＝燃料電池２の発電電力
Ｃ＝第１のＤＣ／ＤＣコンバータ１４の動作電力
Ｄ＝第２のＤＣ／ＤＣコンバータ１５の動作電力（ただし、降圧動作方向、即ち二次電池や補機に電力を供給する方向を正、昇圧動作方向を負とする）
Ｅ＝燃料電池補機５の要求電力
Ｆ＝二次電池４の充放電電力（充電方向を正、放電方向は負）
また、フローチャートによる動作説明の前提として、図示しない水素供給源と、図示しない空気供給源から、それぞれ水素ガスと空気を燃料電池２へ供給することにより、燃料電池２は、直流電力（電流）の発電を開始しているものとする。
【００２９】
まずステップ（以下、ステップをＳと略す）１０１では、第１のＤＣ／ＤＣコンバータ１４の動作を開始する。その時の動作電力は図２の電流Ｉ１値に相当する電力以上で一定値（Ｃ）とする。
【００３０】
Ｓ１０２では燃料電池２の両極のリレー１１をＯＮにする。Ｓ１０３ではアクセル開度に応じて、ＤＣ／ＡＣインバータ（図３以下では、単にインバータと略す）１３の要求電力（Ａ）と燃料電池補機５の要求電力（Ｅ）を決定する。
【００３１】
Ｓ１０４ではＤＣ／ＡＣインバータ１３の要求電力（Ａ）と燃料電池２の発電電力（Ｂ）と第１のＤＣ／ＤＣコンバータ１４の動作電力（Ｃ）を比較し、Ｂ＝Ａ＋ＣであればＳ１０６へ移り、Ｂ≠Ａ＋ＣであればＳ１０５へ移る。
【００３２】
Ｓ１０５では第２のＤＣ／ＤＣコンバータ１５を動作させる電力（Ｄ）をＤＣ／ＡＣインバータ１３の要求電力（Ａ）と燃料電池２の発電電力（Ｂ）と第１のＤＣ／ＤＣコンバータ１４の動作電力（Ｃ）により演算し（Ｄ＝Ｂ−Ａ−Ｃ）、Ｓ１０７へ移る。Ｓ１０６では第２のＤＣ／ＤＣコンバータ１５の動作を停止させる（０動作）。
【００３３】
Ｓ１０７では、Ｓ１０５で演算した第２のＤＣ／ＤＣコンバータ１５を動作させる電力Ｄ（Ｄ＝Ｂ−Ａ−Ｃ）が正か否かを判定し、Ｄが正であればＳ１０８へ移り、Ｄが０または負であればＳ１０９へ移る。
【００３４】
Ｓ１０８では第２のＤＣ／ＤＣコンバータ１５を降圧動作させ、燃料電池２またはＤＣ／ＡＣインバータ１３から二次電池４へ電力供給するように動作させる（二次電池４は充電）。この時の第２のＤＣ／ＤＣコンバータ１５の動作電力は、Ｓ１０５で演算したＤ値である。
【００３５】
Ｓ１０９では第２のＤＣ／ＤＣコンバータ１５を昇圧動作させ、二次電池４からＤＣ／ＡＣインバータ１３へ電力供給するように動作させる（二次電池は放電）。
【００３６】
Ｓ１１０では二次電池４の充放電可能量と第２のＤＣ／ＤＣコンバータ１５の動作電力（Ｄ）を比較し、供給可能であればＳ１１２へ移り、供給不能であればＳ１１１へ移る。Ｓ１１１では、第２のＤＣ／ＤＣコンバータ１５の動作電力（Ｄ）を二次電池４の充放電可能量に合わせ（Ｄ＝二次電池４供給可能量）、Ｓ１１２へ移る。
【００３７】
Ｓ１１２では電力変換装置３の動作を継続させるか否かを判断し、継続させる場合にはＳ１０４へ移り、継続させない場合には電力変換装置３の動作を終了する。
【００３８】
本実施形態によれば、上記動作をすることにより、図２中の電流Ｉ１以上の範囲における電圧が図２に示すように第２のコンバータ使用電圧範囲内（所定値以下）あれば、第１のＤＣ／ＤＣコンバータのスイッチング素子のみ高耐圧品を使用すればよいため、システムの小型化、低コスト化、効率の向上が見込める。
【００３９】
〔第２実施形態〕
次に、本発明に係る燃料電池用電力変換装置の第２実施形態を説明する。第２実施形態の構成は、図１に示した第１実施形態と同様である。
【００４０】
第２実施形態は、第１のＤＣ／ＤＣコンバータ１４は効率の低い耐電圧の高い素子を使用しているため、第１のＤＣ／ＤＣコンバータ１４はできるだけ使用しない方がシステムの効率が良くなるため、ＤＣ／ＡＣインバータ１３と第２のＤＣ／ＤＣコンバータ１５によって燃料電池２に要求される電流がＩ１以上になっている場合には、第１のＤＣ／ＤＣコンバータ１４を使用しないように制御するものである。
【００４１】
第２実施形態の動作について、図４のフローチャートに沿って説明する。フローチャートによる動作説明の前提として、図示しない水素供給源と、図示しない空気供給源から、それぞれ水素ガスと空気を燃料電池２へ供給することにより、燃料電池２は、直流電力（電流）の発電を開始しているものとする。
【００４２】
まず、Ｓ２０１では、第１のＤＣ／ＤＣコンバータ１４の動作を開始する。その時の動作電力は図２の電流Ｉ１値以上で一定値（Ｃ）とする。Ｓ２０２では燃料電池２の両極に設けたリレー１１をＯＮにする。Ｓ２０３ではアクセル開度に応じて、ＤＣ／ＡＣインバータ１３の要求電力（Ａ）と燃料電池補機５の要求電力（Ｅ）を決定する。
【００４３】
Ｓ２０４ではＤＣ／ＡＣインバータ１３の要求電力（Ａ）と第２のＤＣ／ＤＣコンバータ１５の動作電力（Ｄ）とを加算した値と、図２の電流Ｉ１に相当する燃料電池発電電力（電力としてはＩ１×Ｖ１であるが以下、Ｉ１と記す）とを比較し、Ａ＋Ｄ＞Ｉ１であればＳ２０５へ移り、Ａ＋Ｄ＞Ｉ１でなければＳ２０６へ移る。
【００４４】
Ｓ２０５では第１のＤＣ／ＤＣコンバータ１４を停止し（動作電力（Ｃ）を０にする）、Ｓ２０６へ移る。Ｓ２０６では第２のＤＣ／ＤＣコンバータ１５を動作させる電力（Ｄ）が０か否かを判定し、Ｄ＝０であればＳ２０８へ移り、Ｄ≠０ならばＳ２０７へ移る。
【００４５】
Ｓ２０８では第２のＤＣ／ＤＣコンバータ１５を停止させる（動作電力（Ｄ）を０とする）。
【００４６】
Ｓ２０７では第２のＤＣ／ＤＣコンバータ１５の動作電力（Ｄ）を、燃料電池２の発電電力（Ｂ）からＤＣ／ＡＣインバータ１３の要求電力（Ａ）及び第１のＤＣ／ＤＣコンバータ１４の動作電力（Ｃ）を減じたものとする（Ｄ＝Ｂ−Ａ−Ｃ）。
【００４７】
Ｓ２０９では第２のＤＣ／ＤＣコンバータ１５を動作させる電力（Ｄ）が正か否かを判定し、Ｄ＞０ならばＳ２１０へ進み、Ｄ≦０ならばＳ２１１へ進む。
【００４８】
Ｓ２１０では第２のＤＣ／ＤＣコンバータ１５を降圧動作させ、燃料電池２から二次電池４へ充電するように動作させる。ここで第２のＤＣ／ＤＣコンバータ１５の動作電力は、Ｓ２０７で演算したＤ値である。
【００４９】
Ｓ２１１では第２のＤＣ／ＤＣコンバータ１５を昇圧動作させ、二次電池４からＤＣ／ＡＣインバータ１３へ電力供給するように動作させる（二次電池は放電）。
【００５０】
Ｓ２１２では二次電池４の充放電可能量と第２のＤＣ／ＤＣコンバータ１５の動作電力（Ｄ）を比較し、供給可能であればＳ２１４へ移り、供給不能であればＳ２１３へ移る。Ｓ２１３では、第２のＤＣ／ＤＣコンバータ１５の動作電力（Ｄ）を二次電池４の充放電可能量に合わせ（Ｄ＝二次電池４供給可能量）、Ｓ２１４へ移る。
【００５１】
Ｓ２１４では電力変換装置３の動作を継続させるかを判断し、継続させる場合にはＳ２０４へ移り、継続させない場合には終了する。
【００５２】
本実施形態によれば、上記動作をすることにより、第１のＤＣ／ＤＣコンバータ１４の使用領域を少なくしているため、システムの小型化、低コスト化、効率の向上が見込める。
【００５３】
〔第３実施形態〕
次に、本発明に係る燃料電池用電力変換装置の第３実施形態を説明する。第３実施形態の構成は、図１に示した第１実施形態と同様である。
【００５４】
第３実施形態は、ＤＣ／ＡＣインバータ１３と第２のＤＣ／ＤＣコンバータ１５によって燃料電池２に要求される電流がＩ１以上になってない場合に、燃料電池に要求される電流がＩ１になるように第１のＤＣ／ＤＣコンバータ１４を最低限の電力で使用するものである。これにより、燃料電池２の電流がＩ１でも効率の良い第２のＤＣ／ＤＣコンバータ１５を使用でき、システム全体の効率を向上することができる。
【００５５】
第３実施形態の動作について、図５のフローチャートに沿って説明する。フローチャートによる動作説明の前提として、図示しない水素供給源と、図示しない空気供給源から、それぞれ水素ガスと空気を燃料電池２へ供給することにより、燃料電池２は、直流電力（電流）の発電を開始しているものとする。
【００５６】
まず、Ｓ３０１では第１のＤＣ／ＤＣコンバータ１４の動作を開始する。その時の動作電力は図２の電流Ｉ１値以上で一定値（Ｃ）とする。Ｓ３０２では燃料電池２の両極に設けたリレー１１をＯＮにする。Ｓ３０３ではアクセル開度に応じて、ＤＣ／ＡＣインバータ１３の要求電力（Ａ）と燃料電池補機５の要求電力（Ｅ）を決定する。
【００５７】
Ｓ３０４ではＤＣ／ＡＣインバータ１３の要求電力（Ａ）と第２のＤＣ／ＤＣコンバータ１５の動作電力（Ｄ）とを加算した値と、図２の電流Ｉ１に相当する燃料電池発電電力（Ｉ１）とを比較し、Ａ＋Ｄ＞Ｉ１であればＳ３０５へ移り、Ａ＋Ｄ＞Ｉ１でなければＳ３０６へ移る。
【００５８】
Ｓ３０５では第１のＤＣ／ＤＣコンバータ１４を停止し（動作電力（Ｃ）を０にする）、Ｓ３０６へ移る。Ｓ３０６では第１のＤＣ／ＤＣコンバータ１４の動作電力（Ｃ）を燃料電池２の発電電力（Ｂ）、図２中のＩ１値、及び第２のＤＣ／ＤＣコンバータ１５の動作電力（Ｄ）から、Ｃ＝Ｉ１−（Ｂ＋Ｄ）により演算する。
【００５９】
Ｓ３０７では第２のＤＣ／ＤＣコンバータ１５の動作電力（Ｄ）が０であるか否かを判定し、０であればＳ３０８へ移り、０でなければＳ３０９へ移る。
【００６０】
Ｓ３０８では第２のＤＣ／ＤＣコンバータ１５の動作を停止させる（動作電力（Ｄ）＝０）。
【００６１】
Ｓ３０９では第２のＤＣ／ＤＣコンバータ１５を動作させる電力（Ｄ）をＤＣ／ＡＣインバータ１３の要求電力（Ａ）と燃料電池２の発電電力（Ｂ）と第１のＤＣ／ＤＣコンバータ１４の動作電力（Ｃ）により演算し（Ｄ＝Ｂ−Ａ−Ｃ）、Ｓ３１０へ移る。Ｓ３１０ではＳ３０９で演算したＤの値が正か否かを判定し、正であればＳ３１１へ移り、正でなければＳ３１２へ移る。
【００６２】
Ｓ３１１では第２のＤＣ／ＤＣコンバータ１５を降圧動作させて、燃料電池２から二次電池４へ電力供給するように動作させる（二次電池４を充電する）。第２のＤＣ／ＤＣコンバータ１５の動作電力は、Ｓ３０９で演算したＤ値である。
【００６３】
Ｓ３１２では第２のＤＣ／ＤＣコンバータ１５を昇圧動作させて、二次電池４からＤＣ／ＡＣインバータ１３へ電力供給するように動作させる（二次電池４は放電する）。
【００６４】
Ｓ３１３では二次電池４の充放電可能量と第２のＤＣ／ＤＣコンバータ１５の動作電力（Ｄ）を比較し、供給可能であればＳ３１５へ移り、供給不能であれば、Ｓ３１４へ移る。Ｓ３１４では、第２のＤＣ／ＤＣコンバータ１５の動作電力（Ｄ）を二次電池４の充放電可能量に合わせ（Ｄ＝二次電池４の供給可能量）、Ｓ３１５へ移る。
【００６５】
Ｓ３１５では電力変換装置３の動作を継続させるかを判断し、継続させる場合にはＳ３０４へ移り、継続させない場合には終了する。
【００６６】
上記動作をすることにより、図２中のＩ１以上の電圧が所定値以下であれば、燃料電池の電圧を高電圧にした場合でも、第１のＤＣ／ＤＣコンバータのスイッチング素子のみ高耐圧品を使用すればよく、その高耐圧ユニットの使用領域を少なくしているため、システムの小型化、低コスト化、効率の向上が見込める。
【００６７】
〔第４実施形態〕
次に、本発明に係る燃料電池用電力変換装置の第４実施形態を説明する。第４実施形態の構成は、図１に示した第１実施形態と同様である。
【００６８】
本実施形態は、第１のＤＣ／ＤＣコンバータ１４の動作電力を制御して燃料電池電圧をＶｌに定電圧制御するための制御の一例である。例えば起動時にこの制御を行えば、燃料電池電圧がＶ１以下になったときには第１のＤＣ／ＤＣコンバータの動作電力はしだいに低下して、最後には停止することになる。つまり、電圧がＶ１以下になった後は第２のＤＣ／ＤＣコンバータによる動作に移行できる。
【００６９】
第４実施形態の動作について、図６のフローチャートに沿って説明する。フローチャートによる動作説明の前提として、図示しない水素供給源と、図示しない空気供給源から、それぞれ水素ガスと空気を燃料電池２へ供給することにより、燃料電池２は、直流電力（電流）の発電を開始しているものとする。
【００７０】
まず、Ｓ４０１では第１のＤＣ／ＤＣコンバータ１４の動作を開始する。Ｓ４０２では燃料電池２の両極に設けたリレー１１をＯＮにする。Ｓ４０３では第１のＤＣ／ＤＣコンバータ１４で燃料電池２端電圧を計測する。Ｓ４０４ではＳ４０３で計測した燃料電池２端電圧が図２の電流Ｉ１に相当する電圧Ｖ１より高いか否かを判定し、燃料電池端電圧＞Ｖ１であればＳ４０５へ移り、燃料電池端電圧＞Ｖ１でなければ、Ｓ４０６へ移る。
【００７１】
Ｓ４０５では第１のＤＣ／ＤＣコンバータ１４の動作電力（Ｃ）を増加させて、燃料電池端電圧が下がるように制御し、Ｓ４０７へ進む。
【００７２】
Ｓ４０６では第１のＤＣ／ＤＣコンバータ１４の動作電力（Ｃ）を減少させて、燃料電池端電圧が上がるように制御し、Ｓ４０７へ進む。
【００７３】
Ｓ４０７では電力変換装置３の動作を継続させるかを判断し、継続させる場合にはＳ４０３へ移り、継続させない場合には電力変換装置３の動作を終了する。
【００７４】
Ｓ４０３乃至Ｓ４０７のループにより、燃料電池端電圧は、一定電圧Ｖ１に収束するように制御される。
【００７５】
上記動作をすることにより、図２中の電流Ｉ１以下の領域の電圧が所定値以下であれば、燃料電池の電圧を高電圧にした場合でも、第１のＤＣ／ＤＣコンバータのスイッチング素子のみ高耐圧品を使用すれば良く、その第１のＤＣ／ＤＣコンバータ単体で燃料電池端電圧が所定電圧（図２のＶ１）以下になるように定電圧制御を行うため、動作安定性、効率の向上が見込める。
【００７６】
〔第５実施形態〕
次に、本発明に係る燃料電池用電力変換装置の第５実施形態を説明する。第５実施形態の構成は、図１に示した第１実施形態と同様である。
【００７７】
第５実施形態は、第１のＤＣ／ＤＣコンバータ１４を起動時のみ作動させ、起動後は停止する。起動後に燃料電池２の電流がＩ１以下になりそうな場合は、第２のＤＣ／ＤＣコンバータ１５の動作電力を制御して、Ｉ１以上になるようにする。これにより、第１のＤＣ／ＤＣコンバータ１４の使用が起動時のみになるので、システム全体の効率が向上する。
【００７８】
第５実施形態の動作について、図７のフローチャートに沿って説明する。フローチャートによる動作説明の前提として、図示しない水素供給源と、図示しない空気供給源から、それぞれ水素ガスと空気を燃料電池２へ供給することにより、燃料電池２は、直流電力（電流）の発電を開始しているものとする。
【００７９】
まず、Ｓ５０１では第１のＤＣ／ＤＣコンバータ１４を一定電力（図２の電流Ｉ１以上に相当する電力）で動作を開始する。Ｓ５０２では燃料電池２の両極に設けられたリレー１１をＯＮにする。Ｓ５０３では第２のＤＣ／ＤＣコンバータ１５を第１のＤＣ／ＤＣコンバータ１４と同電力値で動作させる。Ｓ５０４では第１のＤＣ／ＤＣコンバータ１４の動作を停止させる。Ｓ５０５ではアクセル開度に応じて、ＤＣ／ＡＣインバータ１３の要求電力（Ａ）と燃料電池補機５の要求電力（Ｅ）を決定する。
【００８０】
Ｓ６０６では、ＤＣ／ＡＣインバータ１３の要求電力（Ａ）と燃料電池補機５の要求電カ量（Ｅ）と二次電池要求電力（Ｆ）とを加算したものが、図２中の電流Ｉ１に相当する電力（電力としてはＩ１×Ｖ１であるが以下、Ｉ１と記す）より大きいか否かを判定し、Ａ＋Ｅ＋Ｆ＞Ｉ１であれば、Ｓ５０７へ移り、Ａ＋Ｅ＋Ｆ＞Ｉ１でなければ、Ｓ５０８へ移る。
【００８１】
Ｓ５０７では補正係数（Ｇ）を０にセットする。Ｓ５０８では補正係数（Ｇ）＝Ｉ１−（Ａ＋Ｅ＋Ｆ）とする。
【００８２】
Ｓ５０９では第２のＤＣ／ＤＣコンバータ１５の動作電力（Ｄ）をＤ＝Ｂ−Ａ−Ｇとする。
【００８３】
Ｓ５１０ではＳ５０９で演算したＤ（＝Ｂ−Ａ−Ｇ）が正か否かを判定し、正であればＳ５１１へ移り、正でなければＳ５１２へ移る。
【００８４】
Ｓ５１１では第２のＤＣ／ＤＣコンバータ１５を降圧動作させ、燃料電池２から二次電池４でへ電力供給するように動作させる（二次電池４を充電する）。このとき第２のＤＣ／ＤＣコンバータ１５の動作電力は、Ｓ５０９で演算したＤ値である。
【００８５】
Ｓ５１２では第２のＤＣ／ＤＣコンバータ１５を昇圧動作させ、二次電池４からＤＣ／ＡＣインバータ１３へ電力供給する（二次電池４から放電する）。
【００８６】
Ｓ５１３では二次電池４の充放電可能量と第２のＤＣ／ＤＣコンバータ１５の動作電力（Ｄ）を比較し、供給可能であれば、Ｓ５１５へ移り、供給不能であれば、Ｓ５１４へ移る。
【００８７】
Ｓ５１４では、第２のＤＣ／ＤＣコンバータ１５の動作電力（Ｄ）を二次電池４の充放電可能量に合わせ（Ｄ＝二次電池４の供給可能量）、Ｓ５１５へ移る。
【００８８】
Ｓ５１５では電力変換装置３の動作を継続させるかを判断し、継続させる場合にはＳ５０５へ移り、継続させない場合には、電力変換装置３の動作を終了する。
【００８９】
上記動作をすることにより、図２中の電流Ｉ１以上の領域の電圧が所定値以下であれば、燃料電池の電圧を高電圧にした場合でも、第１のＤＣ／ＤＣコンバータのスイッチング素子のみ高耐圧品を使用すればよく、しかも、起動時のみ第１のＤＣ／ＤＣコンバータを動作させるため、第１のＤＣ／ＤＣコンバータの使用領域を少なくしているため、システムの小型化、高圧用片方向降圧コンバータの小型、簡略化、低コスト化、効率の向上が見込める。
【００９０】
〔第６実施形態〕
図８（ａ）は、第６実施形態の燃料電池用電力変換装置を用いた燃料電池システムの構成図である。図１に示した第１実施形態の構成との相違は、燃料電池２に対する逆流防止用のダイオード１２が燃料電池負極側に設けられていることである。その他の構成及び動作は、第１〜第５実施形態と同様である。
【００９１】
〔第７実施形態〕
図８（ｂ）は、第７実施形態の燃料電池用電力変換装置を用いた燃料電池システムの構成図である。図１に示した第１実施形態の構成との相違は、燃料電池２に対する逆流防止用のダイオード１２が燃料電池２の正極側と負極側との双方に設けられていることである。その他の構成及び動作は、第１〜第５実施形態と同様である。
【００９２】
以上、説明してきたが、本発明記載の構成に限定したものではなく、実施形態が変わっても同一機能を有した物であれば、本発明の効果を得ることが出来る。
【図面の簡単な説明】
【図１】第１実施形態の燃料電池用電力変換装置を用いた燃料電池システムの構成図である。
【図２】本発明に用いる燃料電池の電圧‐電流特性図である。
【図３】第１実施形態の動作を説明するフローチャート図である。
【図４】第２実施形態の動作を説明するフローチャート図である。
【図５】第３実施形態の動作を説明するフローチャート図である。
【図６】第４実施形態の動作を説明するフローチャート図である。
【図７】第５実施形態の動作を説明するフローチャート図である。
【図８】（ａ）は、第６実施形態の燃料電池用電力変換装置を用いた燃料電池システムの構成図であり、（ｂ）は、第７実施形態の燃料電池用電力変換装置を用いた燃料電池システムの構成図である。
【符号の説明】
１：燃料電池車両
２：燃料電池
３：電力変換装置
４：二次電池
５：燃料電池補機
６：モータ
７：差動装置
８：駆動輪
９：車両コントローラ
１０：アクセルペダル
１１：リレー
１２：ダイオード
１３：ＤＣ／ＡＣインバータ
１４：第１のＤＣ／ＤＣコンバータ
１５：第２のＤＣ／ＤＣコンバータ
【図１】
2004063338.tif 000003
【図２】
2004063338.tif 000004
【図３】
2004063338.tif 000005
【図４】
2004063338.tif 000006
【図５】
2004063338.tif 000007
【図６】
2004063338.tif 000008
【図７】
2004063338.tif 000009
【図８】
2004063338.tif 000010